(57)【要約】【課題】  高層共同住宅に義務付けられているスプリンクラー設備に対する送水配管を別途の空間を設けることなく構成する高層共同住宅用スプリンクラー設備を提供する。【解決手段】  給水装置につながる主送水管４を複数の分岐送水管５に分岐し、各分岐送水管５は各階層の各住戸２１を高さ方向に貫いて設けられる配管スペース２２を通して高さ方向に最上階まで配管する。各階層の各住戸２１の配管スペース２２には分岐送水管５が配管されているので、分岐送水管５からスプリンクラーヘッド１にアラーム弁２及び圧力調整弁３を通して配管する。【選択図】  図１ 
2005087306.tif 000002
【特許請求の範囲】
【請求項１】
給水装置から所定圧力で給水される水を送水する主送水管を各階層の各戸に垂直方向に貫通して設けられた配管スペースの数に分岐した複数の分岐送水管それぞれに接続し、各階層において前記分岐送水管から各戸に設置されたスプリンクラーヘッドにアラーム弁を通じて接続すると共に、所要階層の分岐送水管と前記アラーム弁との間に圧力調整弁を配設してなることを特徴とする高層共同住宅用スプリンクラー設備。
【請求項２】
アラーム弁と圧力調整弁とを一体化した送水圧力調整装置を分岐送水管とスプリンクラーヘッドとの間に設けた高層共同住宅用スプリンクラー設備。
【発明の詳細な説明】
【技術分野】
【０００１】
本発明は、高層共同住宅において所定階層以上の各住戸に設置が義務付けされているスプリンクラー設備に配管する際に、各階のスプリンクラー設備に規定の放水圧力が得られるようにする高層共同住宅用スプリンクラー設備に関するものである。
【背景技術】
【０００２】
消防関係法令（消防設備等関係通達〜共同住宅等に係る消防用設備等の技術上の基準）において１１階以上となる共同住宅には、１１階以上の階層にある各住戸にスプリンクラー設備の設置が義務付けられている。また、１１階以上の各住戸に設けられた複数のスプリンクラーヘッドからの放水圧力は０．１〜１．０ＭＰａの範囲内になるように規定されている。
【０００３】
図４は、高層共同住宅４０における閉鎖型湿式スプリンクラー設備の従来構成を示すものである。例えば、この高層共同住宅４０の階層が図示するように３０階であるとき、最上階（３０階）の住戸４１に設けられたスプリンクラーヘッド１からの放水圧力を０．１ＭＰａ以上になるように設定すると、１１階の住戸４１に設けられたスプリンクラーヘッド１からの放水圧力は１．０ＭＰａを越えてしまうことになる。そこで、各スプリンクラーヘッド１に給水するための配管を、例えば、２１階以上の階層に送水するためのメイン送水管１１と、１１階から２０階までの階層に給水するためのサブ送水管１２とを設け、サブ送水管１２に対しては減圧弁１３を介して送水することにより、スプリンクラーヘッド１からの放水圧力を調整するようにしている。各階層においてはメイン送水管１１又はサブ送水管１２から給水配管１４により各住戸に設けられたスプリンクラーヘッド１にアラーム弁２を通して配管接続する。
【発明の開示】
【発明が解決しようとする課題】
【０００４】
上記従来構成におけるスプリンクラー設備の配管構造では、メイン送水管１１及び／又はサブ送水管１２を最上階まで通すための配管空間４２を確保する必要となる問題があった。また、各階層においてメイン送水管１１又はサブ送水管１２から各住戸４１のスプリンクラーヘッド１に向けて分配配管１４を設ける必要があり、分配配管１４は天井部分の空間に配管することになるため、各住戸４１への分配配管１４を設けるために天井部分の空間を広く確保する必要があり、各住戸４１の天井高さを増加させる無駄があった。また、各階層における分配配管１４は各階の戸数が多いほど配管工事に要する費用が増加する問題があった。
【０００５】
本発明が目的とするところは、様々な制約のある高層共同住宅における各戸への給水配管のために無駄な空間の消費をなくした高層共同住宅用スプリンクラー設備を提供することにある。
【課題を解決するための手段】
【０００６】
上記目的を達成するために本発明に係る高層住宅用スプリンクラー設備は、給水装置から所定圧力で給水される水を送水する主送水管を各階層の各戸に垂直方向に貫通して設けられた配管スペースの数に分岐した複数の分岐送水管それぞれに接続し、各階層において前記分岐送水管から各戸に設置されたスプリンクラーヘッドにアラーム弁を通じて接続すると共に、所要階層の分岐送水管と前記アラーム弁との間に圧力調整弁を配設してなることを特徴とする。
【０００７】
上記構成によれば、給水装置から各戸に設置されたスプリンクラーヘッドに対する送水は、主送水管から分岐した複数の分岐送水管を通じてなされ、分岐送水管は各戸に設けられて各階層を通じて垂直方向に貫通する配管スペースに配設されるので、送水管路を設けるための配管空間を別途設ける必要がなく、各階層においても各戸毎に設けられている配管スペースに通されている分岐送水管からスプリンクラーヘッドに配管接続するだけでよく、各階層において送水管から各戸のスプリンクラーヘッドに配管接続するために天井部分に配管する住宅コストを増加させる配管構造は不要となる。また、送水圧力が大きくなる低い階層部分においては、送水圧力を調整する圧力調整弁を設けることにより、スプリンクラーヘッドに適正な送水圧力を与えることができる。
【０００８】
上記構成において、アラーム弁と圧力調整弁とを一体化した送水圧力調整装置を分岐送水管とスプリンクラーヘッドとの間に設けることにより、各住戸におけるスプリンクラーヘッドからの放水圧力を個別に調整することができ、各住戸のスプリンクラーヘッドからの放水圧力を階層にかかわらず適正に調整することができる。
【発明の効果】
【０００９】
本発明によれば、１１階以上の階層にある各住戸に設置が義務付けられているスプリンクラー設備に送水するための送水管を通す管路空間を別途設ける必要がないので、高層共同住宅の無駄なコスト増加を抑えることができる。また、各階層において各住戸のスプリンクラー設備への配管を設ける必要がないので、配管のために天井部分の高さを確保する無駄がなく、高層共同住宅の無駄なコスト増加を抑えることができる。
【発明を実施するための最良の形態】
【００１０】
図１は、高層共同住宅の１１階以上に設置が義務付けられているスプリンクラー設備に対する送水用配管構造を示すもので、ここでは３０階建ての高層共同住宅２０とし、その１１階以上の各住戸２１にスプリンクラー設備を設けた場合を想定している。また、スプリンクラー設備は、閉鎖型湿式スプリンクラーヘッド方式によるものとし、各住戸２１の天井に設けられたスプリンクラーヘッド１には、高架水槽１５等の補助圧力源からの水が配管内に常時充圧された状態にあり、ヘッドの感熱部分が火災の熱により分解するか、可溶部分が溶けて散水が開始されたことをアラーム弁２により流水検知し、給水装置を構成する給水ポンプ９を起動して消火水槽８からの水を送水し、警報と共に火災表示を行うものとしている。
【００１１】
図１において、前記給水ポンプ９から各住戸２１に送水するための主送水管４は、１０階と１１階との間の境界部分において複数の分岐送水管５に分岐され、各分岐送水管５は、高層共同住宅２０の高さ方向に積み重ね配置された各階層の各住戸２１を高さ方向に貫いて設けられている配管スペース２２を高さ方向に通して３０階まで配管されている。前記配管スペース２２は各住戸２１の給水、排水、ガス、電気等の管路を集中的に配管する空間として設けられ、各住戸２１では水道、ガス、電気の開閉及び積算メータなどが設置されている。この配管スペース２２は共同住宅では必須の空間で、多少の屈曲がある場合でも高さ方向に各階層を貫いて設けられているので、分岐送水管５を配管するために別途の空間を確保する必要はない。
【００１２】
上記配管構造により各階層における各住戸２１毎に分岐送水管５が配管されるようになるので、各住戸２１においては複数場所の天井に設けられたスプリンクラーヘッド１と分岐送水管５との間の接続は各住戸２１毎に容易に実施することができる。分岐送水管５からスプリンクラーヘッド１への接続は、アラーム弁２を介してなされるので、火災によりスプリンクラーヘッド１が作動して散水がなされると、アラーム弁２は流水を検知する。アラーム弁２は分岐送水管５からスプリンクラーヘッド１方向への流水により作動する圧力スイッチ機能を有し、作動により回路を閉じるので、配線接続された警報装置を作動させ、前記給水ポンプ９を作動させてスプリンクラーヘッド１から所定圧力で継続した散水がなされるようになる。また、アラーム弁２の作動は配線接続により管理室等に報知されるので、消防等への報知を速やかに実施することができる。
【００１３】
上記配管構造において、１１階から３０階に至るまで配管された分岐送水管５内の水圧は低い階層ほど高くなるので、各階層のスプリンクラーヘッド１に適正な水圧が加えられるようにするために、分岐送水管５からスプリンクラーヘッド１に圧力調整の手段を設けることが望ましく、ここでは前記アラーム弁２と圧力調整弁３とを一体化した送水検知調整装置１０を設けている。
【００１４】
図２は、前記送水検知調整装置１０の構成を示すもので、一端側の一次側フランジ１６により分岐送水管５に配管接続され、他端側の二次側フランジ１７からスプリンクラーヘッド１に配管接続される。前記一次側フランジ１６は前記圧力調整弁３が接続され、圧力調整弁３から仕切弁２３、逆止弁２４を通じて前記アラーム弁２に接続され、アラーム弁２は前記二次側フランジ１７に接続されている。アラーム弁２と二次側フランジ１７との間には試験用配管２５が接続され、スプリンクラーヘッド１が作動した状態を擬似的に発生させて各部の動作が試験できるようにしている。尚、２９はアラーム弁２や試験用スイッチ等に配線接続するとともに、住戸２１や管理室等に配線するための接続端子ボックスである。
【００１５】
前記圧力調整弁３は、図３に示すように、弁口２８ａが形成された隔壁２８によって一次側圧力室２６と二次側圧力室２７とに区画したボディ３０の上部開口部分を調整部３１で閉じ、下部開口部をカバー部３２で閉じ、調整部３１を回転させることによりスプリング３３の付勢によって前記弁口２８ａのフラム３４による開度圧力が調整できるように構成されている。この圧力調整弁３は一次側圧力室２６につながる一次側配管口２６ａで一次側フランジ１６に接続され、二次側圧力室２７につながる二次側配管口２７ａが仕切弁２３に配管接続される。
【００１６】
上記構成になる圧力調整弁３は、調整部を回転させてスプリング３３によるフラム３４の弁口２８ａに対する押圧力を調整することにより、一次側圧力室２６から弁口２８ａを通じて二次側圧力室２７に送水される送水水量が制限されるので、二次側圧力室２７の圧力をスプリンクラーヘッド１に送水する所望圧力に調整することができる。また、一次側圧力室２６の圧力変動があっても二次側圧力室２７の圧力は一定になるよう自動調整することができる。
【００１７】
上記圧力調整弁３はアラーム弁２と一体にした送水検知調整装置１０として各分岐送水管５とスプリンクラーヘッド１との間に配設するのが望ましいが、分岐送水管５の水圧がスプリンクラーヘッド１の所定送水圧力を越える階層にだけ設けるようにしてもよい。
【産業上の利用可能性】
【００１８】
本発明に係る高層共同住宅用スプリンクラー設備は、高層共同住宅に義務付けられているスプリンクラー設備に送水するための配管設けるために空間や各階層において各住戸に分配配管するための空間を形成する必要がなく、共同住宅に設けられる配管スペースを利用することができ、高層住宅を建設するための建築コストを抑制することができる。
【図面の簡単な説明】
【００１９】
【図１】実施形態に係る送水管路の構成を示す配管図。
【図２】送水検知調整装置の構成を示す（ａ）は正面図、（ｂ）は側面図。
【図３】圧力調整弁の構成を示す断面図。
【図４】従来技術に係る送水管路の構成を示す配管図。
【符号の説明】
【００２０】
１  スプリンクラーヘッド
２  アラーム弁
３  圧力調整弁
４  主送水管
５  分岐送水管
８  消火水槽（給水装置）
９  給水ポンプ（給水装置）
１０  送水検知調整装置
２０  高層共同住宅
２１  住戸
２２  配管スペース
【図１】
2005087306.tif 000003
【図２】
2005087306.tif 000004
【図３】
2005087306.tif 000005
【図４】
2005087306.tif 000006